(57)【特許請求の範囲】
【請求項１】
プラグコネクタと共にコネクタを形成するリセプタクルコネクタであって、
開口部を有するハウジングと、
前記開口部に設けられた少なくとも２つのシャッターと、
前記シャッターは、相手方である前記プラグコネクタとの嵌合時には前記開口部に対して開状態となり、前記ハウジング内にプラグコネクタが挿入されていない場合には閉状態となり、前記シャッターが回転及び直線移動を可能にするために前記ハウジングの側面に設けられた突起軸と係合する長穴形状の軸受け部を備え、そして前記プラグコネクタに形成されたキー突起を受入れるキー窓を有し、
前記シャッターの開閉軌跡を制御するカム形状を有するカムプレートと、
前記シャッターを常時閉成側に向けて付勢する弾性部材とを具備し、
コネクタの嵌合時において前記キー窓に前記キー突起部が挿入されると前記２枚のシャッターは前記カム形状により前記弾性部材の力に抗して離れる方向に一定量横移動し、続いて回転可能な位置で前記シャッターは回転することにより開状態となることを特徴とするシャッター付きリセプタクルコネクタ。
【請求項２】
前記カム形状は、前記閉状態においては前記シャッターを回転方向に押しても前記シャッターが開かないような軌跡が形成されていることを特徴とする請求項１記載のリセプタクルコネクタ。
【請求項３】
前記シャッターの前記キー窓は、前記プラグコネクタが逆向きで挿入された場合には前記プラグコネクタと係合出来ない構造を有することを特徴とする請求項１または２記載のリセプタクルコネクタ。
【請求項４】
前記シャッターには少なくとも２つのキー窓が形成されており、前記少なくとも２つのキー窓は前記リセプタクルコネクタ中心に対して非対称な位置に配置されている請求項１から３のいずれか１項記載のリセプタクルコネクタ。
【請求項５】
前記弾性部材は対向する前記シャッター側面にそれぞれ形成された軸にその両端が係止された引っ張りスプリングから成り、対向するそれぞれの前記シャッターが常にリセプタクルコネクタの中心方向に引っ張られていることを特徴とする請求項１から４のいずれか１項記載のリセプタクルコネクタ。
【請求項６】
前記弾性部材は、対向する前記シャッターの前記軸に係止されると共に、前記リセプタクルコネクタ側面において前記シャッターの水平位置よりも高い位置に設けたられ凸部によって支持されており、このため前記シャッターの閉成時には上方向への付勢力を有しており、このため前記シャッターを所定の位置にもどすことを可能とすることを特徴とする請求項５記載のリセプタクルコネクタ。
【請求項７】
前記シャッター両側面に成形された前記長穴形状の軸受け部と、前記リセプタクルコネクタのハウジング内側に設けた前記カム形状は、シャッター開閉時の固定軸を中心に回転する単純回転軌跡と比較し、前記リセプタクルコネクタ高さを低くさせることを特徴とする請求項１から６のいずれか1項記載のコネクタ。
【請求項８】
前記シャッターに弾性部材で成形したロックスプリングを設け、
前記ロックスプリングは、シャッター閉成時はブッシングに設けた溝にロックスプリング先端が係合されてシャッターの左右へのスライドはロックされており、
前記プラグコネクタが挿入された場合はプラグコネクタのシャフト先端がリセプタクルコネクタのブッシングに設けられたスライダーを左右に移動させてシャッターに設けた前記ロックスプリングのロックを解除して前記２枚のシャッターが開くことを可能にするロック機構を設けたことを特徴とする請求項１から７のいずれか1項記載のコネクタ。
【発明の詳細な説明】
【技術分野】
【０００１】
本発明は複数の電気配線を用いて互いに接続される電子機器間の相互の電気配線の結合に使用される多芯コネクタに関する。詳しくはこの多芯コネクタはプラグコネクタ部分とプラグコネクタ部分を受け入れるリセプタクルコネクタ部分とを有し、リセプタクルコネクタ部分はプラグコネクタ部分が挿入されていないときはその開口部を遮蔽可能なシャッターを具備する多芯コネクタに関する。
【背景技術】
【０００２】
超音波診断装置のような医療機器をはじめ、半導体製造装置や半導体検査装置、コンピュータ、通信機器など、高機能電子機器においては送受信すべき信号が多様化複雑化している。このため、互いに接続された複数の電子機器の入出力間、送受信ケーブル間、および送受信ケーブルと電子機器間の接続は多芯化の傾向にある。これに伴い、多芯コネクタについても、より一層の多芯化、小型化、高密度器化、高信頼性化そして操作の容易化が要求されるようになってきている。
【０００３】
多芯ＺＩＦ（Zero Insertion Force）コネクタにおいてはプラグコネクタ部分およびリセプタクルコネクタ部分に形成された多数のコンタクト部分間の相互の接続を必要とする。しかもプラグコネクタ部分およびリセプタクルコネクタ部分間の相互接続時およびプラグコネクタ部分の引抜き時における挿抜力が極めて小さく、コンタクト部分の摩耗の少ない長寿命のコネクタの供給が望まれている。
【０００４】
従来のＺＩＦ多芯コネクタの一例を図１７に示す。この多芯コネクタ８０は接続すべき２つの電子機器の一方の電子機器（図示せず）に接続されるプラグ（plug）コネクタ８１と、他方の電子機器（図示せず）に接続されるリセプタクル（receptacle）コネクタ８２により構成されている。両者を接続する場合は、プラグコネクタ８１をリセプタクルコネクタ８２の開口部９１からリセプタクルコネクタ８２内にゼロインサーションフォース（Zero Insertion Force）で挿入して両者を結合した後、シャフト８３を回転させてプラグコネクタ８１の中央部に設けられているカムシャフト８４を回転させる。
【０００５】
この処理により、カムシャフト８４の側部の位置に設けられたカム８５の作用で、プラグコネクタ８１内のアクチェータ８６を横方向にスライド移動させる。そしてアクチェータ８６により、プラグコネクタ８１の複数のコンタクトピン８７の先端部に形成された各コンタクト８８を、リセプタクルコネクタ８２の対応する複数のコンタクト８９の方に接触するように横方向に弾性的に変位させる。このようにしてプラグコネクタ８１のコンタクト８８を対応するリセプタクルコネクタ８２のコンタクト８９にそれぞれ圧接することにより両者を電気的に接続する。また、カムシャフト８４の回転により、プラグコネクタ８１とリセプタクルコネクタ８２の間に両者を固定するロックが生じるようにし、プラグコネクタ８１とリセプタクルコネクタ８２を確実に固定するものである。
【０００６】
例えば、超音波装置において装置本体と超音波センサーの信号ケーブルとの接続にこのコネクタを使用する場合は、超音波装置の回路基板（図示せず）にリセプタクルコネクタ８２を固定し下部コンタクト端子９０を回路基板に半田実装する。そのリセプタクルコネクタ８２へプラグコネクタ８１を嵌合させて電気的接続を得る形式が採用されている。
【０００７】
そして、プラグコネクタ８１にケーブルを配線する場合は、ケーブル（図示せず）の複数の芯線をコンタクトの対応する複数の上部端子９２へ圧着させるか、もしくはコンタクト上部端子９２を特定の回路基板（図示せず）へ実装し、この回路基板の配線からケーブルを引き出す。
【０００８】
かかる多芯コネクタ８０においてはリセプタクルコネクタ８２側に植設された複数のコンタクト８９は開口部９１において露出しており、操作者がリセプタクルコネクタ８２のコンタクト８９に接触する危険があった。例えば、超音波診断装置のような医療器等の機器ではリセプタクルコネクタ８２側のコンタクト部に電流が流れている場合があり、容易に人間の手や指が触れる構造を規制する規定等も存在する。又、塵埃や異物等がコンタクト面へ付着して接触する可能性も有している。図１６に示す従来のコネクタにおいては、コンタクト８９の露出対策としてはコネクタが接続されていないときはダストカバーやプロテクトカバー等をリセプタクルコネクタ８２の上面に装着しておき、嵌合時に取り外す等の作業が必要であった。
【特許文献１】特開２００４−７１４００
【特許文献２】実開平６−５４２６０
【発明の開示】
【発明が解決しようとする課題】
【０００９】
多芯コネクタ等のリセプタクルコネクタの開口部において、操作者がリセプタクルコネクタ内部と電気的に接触することを回避するために、リセプタクルコネクタのコンタクト部を遮蔽する目的、及び塵埃、異物等の進入対策の目的でリセプタクルコネクタ開放部にシャッターを設ける場合において、人間の指等では安易に開かないが、プラグコネクタの嵌合時のみシャッターが開く構造を有するシャッターつきコネクタを提供する。
【課題を解決するための手段】
【００１０】
多芯コネクタ１において、複数のコンタクト部が配置されたリセプタクルコネクタ３の開口部に少なくとも２枚の観音開き形式で開閉するシャッター２０を設ける。このため、リセプタクルコネクタ３のハウジング１０の開口部側壁にシャッター２０の回転用突起軸１１を配置し、シャッター２０の両側面に成形された長穴形状の軸受け部２１に前記回転用突起軸１１が係合される。シャッター２０の開口側両サイドには回転軌跡を制御する突起２２が成形されており、リセプタクルコネクタの内側両サイドには、シャッター軌跡カム３１が形成されており、前記シャッター２０の突起部２２が係合されて、シャッター２２はカム３１内を制御されながら回転する。
【００１１】
カム３１の形状はシャッター２０を単に上方向より押すことによっては、シャッター２０が開かないような軌跡が形成されている。又このカム３１と前記のシャッター２０両側面に成形された長穴形状の軸受け部２１により、シャッター２０の回転軌跡は固定軸を中心に一定回転する機構、即ちシャッター開閉時の固定軸を中心に回転する単純回転軌跡と比べてコネクタ高さを低くさせることが可能である。
【００１２】
相手コネクタであるプラグコネクタ２にはシャッター２０のキー窓２４位置に合致した位置にキー突起５２が形成されており、前記プラグコネクタ２のキー突起５２が嵌合されると、まずキー突起５２の傾斜形状、及び前記リセプタクルコネクタの内側両サイドに形成されたカム３１により引っ張りスプリング４０の力に抗して一定量シャッター２０を横方向に移動させる。この状態でシャッター２０は回転可能状態になりプラグコネクタ２が嵌合可能となりシャッター２０を開きながらプラグコネクタ２がリセプタクルコネクタ３のハウジング１０内に挿入され嵌合される。
【００１３】
尚、前記シャッター２０のキー窓２４、及びプラグコネクタ２のキー突起５２は中心に対して非対称な位置に形成することにより、プラグコネクタ２を逆方向で挿入した場合には係合出来ないため誤嵌合防止の構造とすることができる。
【００１４】
プラグコネクタ２をリセプタクルハウジング１０から離脱させる時は、シャッター２０の両サイドに取り付けられた引っ張りスプリング４０の付勢により、少なくとも２枚のシャッター２０は自動的に閉方向に回転し、さらにこの２枚のシャッター２０を横方向に引っ張って所定の位置にもどる構造を有する。
【００１５】
即ち、実施の形態に記載の発明は、プラグコネクタと共にコネクタを形成するリセプタクルコネクタであって、
開口部を有するハウジングと、
前記開口部に設けられた少なくとも２つのシャッターと、
前記シャッターは、相手方である前記プラグコネクタとの嵌合時には前記開口部に対して開状態となり、前記ハウジング内にプラグコネクタが挿入されていない場合には閉状態となり、前記シャッターが回転及び直線移動を可能にするために前記ハウジングの側面に設けられた突起軸と係合する長穴形状の軸受け部を備え、そして前記プラグコネクタに形成されたキー突起を受入れるキー窓を有し、
前記シャッターの開閉軌跡を制御するカム形状を有するカムプレートと、
前記シャッターを常時閉成側に向けて付勢する弾性部材とを具備し、
コネクタの嵌合時において前記キー窓に前記キー突起部が挿入されると前記２枚のシャッターは前記カム形状により前記弾性部材の力に抗して離れる方向に一定量横移動し、続いて回転可能な位置で前記シャッターは回転することにより開状態となるシャッター付きリセプタクルコネクタを含む。
【００１６】
さらに、前記カム形状は、前記閉状態においては前記シャッターを回転方向に押しても前記シャッターが開かないような軌跡が形成されているリセプタクルコネクタである。
【００１７】
さらに、前記シャッターの前記キー窓は、前記プラグコネクタが逆向きで挿入された場合には前記プラグコネクタと係合出来ない構造を有するリセプタクルコネクタである。
【００１８】
さらに、前記シャッターには少なくとも２つのキー窓が形成されており、前記少なくとも２つのキー窓は前記リセプタクルコネクタ中心に対して非対称な位置に配置されているリセプタクルコネクタである。
【００１９】
さらに、前記弾性部材は対向する前記シャッター側面にそれぞれ形成された軸にその両端が係止された引っ張りスプリングから成り、対向するそれぞれの前記シャッターが常にリセプタクルコネクタの中心方向に引っ張られているリセプタクルコネクタである。
【００２０】
さらＳに、前記弾性部材は、対向する前記シャッターの前記軸に係止されると共に、前記リセプタクルコネクタ側面において前記シャッターの水平位置よりも高い位置に設けたられ凸部によって支持されており、このため前記シャッターの閉成時には上方向への付勢力を有しており、このため前記シャッターを所定の位置にもどすことを可能とするリセプタクルコネクタである。
【００２１】
さらに、前記シャッター両側面に成形された前記長穴形状の軸受け部と、前記リセプタクルコネクタのハウジング内側に設けた前記カム形状は、シャッター開閉時の固定軸を中心に回転する単純回転軌跡と比較し、前記リセプタクルコネクタ高さを低くさせるリセプタクルコネクタである。
【００２２】
さらに、前記シャッターに弾性部材で成形したロックスプリングを設け、
前記ロックスプリングは、シャッター閉成時はブッシングに設けた溝にロックスプリング先端が係合されてシャッターの左右へのスライドはロックされており、
前記プラグコネクタが挿入された場合はプラグコネクタのシャフト先端がリセプタクルコネクタのブッシングに設けられたスライダーを左右に移動させてシャッターに設けた前記ロックスプリングのロックを解除して前記２枚のシャッターが開くことを可能にするロック機構を設けたリセプタクルコネクタである。
【発明の効果】
【００２３】
本発明によれば、リセプタクルコネクタ側の開口部において、操作者がリセプタクルコネクタ内部の電気的に活性なコンタクト等と接触することが回避される。さらに、コネクタ内に塵埃や異物等が入り込むことが防止される。また、操作者等が指等でシャッターを上部からは押しただけではでシャッターは容易に開くことはないが、リセプタクルコネクタに対応するプラグコネクタが挿入された場合のみシャッターが開くようにすることができる。
【発明を実施するための最良の形態】
【００２４】
本発明の実施の形態を以下に図面を参照して説明する。以下の説明は本発明に関する一実施例であり、本発明の一般的原理を図解することを目的とするものである。従って本発明をこの実施の形態に具体的に記載された構成のみに限定するものではない。以下の詳細な説明および図面の記載において、同様の要素は同様の参照番号により表される。
【００２５】
図１に本発明の一実施の形態に係るシャッター付き多芯コネクタ１を構成するリセプタクルコネクタ３と、このリセプタクルコネクタ３に挿入されるプラグコネクタ２を示す。多芯コネクタ１は、例えば２つの電子機の複数の接続回線を相互接続するためのコネクタである。一方の電子機器の接続回線（図示せず）にはプラグコネクタ２が、他方の電子機器の接続回線（図示せず）にはリセプタクルコネクタ３が接続される。図１のプラグコネクタ２の下部には接続回線と結合される複数のコンタクトが示されている。
【００２６】
両者を結合させる場合は、プラグコネクタ２の下部をリセプタクルコネクタ３に押し付けてリセプタクルコネクタ３のハウジング１０の開口部を覆うシャッター２０を開き、プラグコネクタ２をリセプタクルコネクタ３のハウジング１０内に挿入して両コネクタを結合する。結合後シャフト４を所定の角度回転させてプラグコネクタ２の中央部に設けられているカムシャフト（図示せず。）を回転させる。かかる方法により図１７に示す従来技術と同様に、プラグコネクタ２に配置された複数のコンタクト（図示せず）とリセプタクルコネクタ３に配置された複数のコンタクト（図示せず）とを接触させ電気的に接続する。
【００２７】
図２に本発明の実施の形態に係るリセプタクルコネクタ３の分解図を示す。リセプタクルコネクタ３はハウジング１０を有する。ハウジング１０は側壁４１、４２と底部４３を有し、ハウジング上部には側壁４１、４２により囲まれた開口部３５が形成されている。底部４３には複数のコンタクトを有するコンタクトモジュール（図示せず）を受け入れて固定する複数のコンタクトモジュール支持部４４が形成されている。
【００２８】
開口部３５を形成する一対の側壁には、ハウジング１０の縦方向センター４５（図４参照）を中心にして、プラグコネクタ２が接続されていない場合にはリセプタクルコネクタの開口部３５を閉じる左右２つのシャッター２０が設けられている。またハウジング１０内の長手方向において対向する一対の側面３６の内側にはシャッター２０の移動においてその回転軌跡を定めるカムプレート３０が挿入され、配置されている。なお、カムプレート３０にはシャッター２０の移動を規制するシャッター軌跡カム３１が形成されている。またカムプレート３０には２枚のシャッター２０をそれぞれ閉じる方向に付勢する引っ張りスプリング４０が配置されている。このため、カムプレート３０には引っ張りスプリング４０を支持する鞍状部分を形成する凸部３４が形成されている。
【００２９】
シャッター２０の側面４５にはシャッター２０を左右に（図２においては開口部３５に対して水平方向に）移動させる長穴形状の軸受け部２１が形成されている。軸受け部の形状はシャッター２０を開口部３５に対して水平方向に移動可能にする形状であれば良く図２の形状に限定されるものではない。またこの側面４５の端部にはカムプレート３０に形成されたカム３１に係合する突起部である軸２２が設けられている。また側面４５の略略中央部には、シャッター２０を閉じる方向に付勢する引っ張りスプリング４０を係止する軸２３が設けられている。
【００３０】
図３に示すようにシャッター２０が閉じた状態において、２つのシャッター２０の接触部にはプラグコネクタ２のハウジング５３に形成されたキー突起５２（図９参照）に対応する位置にキー窓２４が設けてある。図３に示す実施の形態のように、左右のキー窓２４の位置を対称ではない位置に設けることもできる。左側のキー窓２４はカムプレート３０に隣接しており、右側のキー窓２４はカムプレート３０とは間隔を置いて配置されている。対称な位置に配置することも可能である。
【００３１】
コネクタハウジング１０の縦方向側壁４２の両端部には穴１２が形成されている。この穴にはシャッター２０の軸受け部２１と係合する軸１１が挿入される。
【００３２】
２枚のシャッター２０の側面４５の軸２３には引っ張りスプリング４０が係止される。この引っ張りスプリング４０によりシャッター２０は常時互いに閉じる方向に付勢される。尚、引っ張りスプリング４０は前記のカムプレート３０の裏面に配置されており、常にカムプレート３０の中心部上部に形成された凸部３４によって支持されており、常にシャッター２０を水平以上に引き上げる付勢を持たせている。
【００３３】
また図１０〜図１４に示すように、挿入されたシャフト４の先端部を支持するブッシング５６にシャッター２０の閉止状態を維持するロック機能を持たせることが可能である。図１０において、左右２枚のシャッター２０の中心部にはプラグコネクタ２のシャフト４がリセプタクルコネクタハウジング１０内に挿入された時にのみロック状態が解除されるように構成される概略Ｕ字形状をした弾性部材で成形された一対のロックスプリング５５が組み込まれている。各ロックスプリング５５は一対の腕部５９を有し、この湾部の先端にロック部６４を有する。シャッター２０が閉止状態の場合はロック部６４がロックスプリングの付勢によりブッシング５６の溝６２内に入り込みシャッター２０が開くのを阻止する。この状態でシャッター２０に設けたロックスプリング５５はブッシング穴６１にロックしてシャッターは左右スライド不可能状態となる。
【００３４】
図１２にリセプタクルコネクタハウジング１０の中心部に設けられているブッシング５６と、シャッター２０に配置されるロックスプリング５５との位置関係を示す。
【００３５】
断面図である図１３および図１４において、図１４において左右に即ち水平に移動可能な一対のスライダー５７が、左右の溝６２内に組み込まれている。プラグコネクタ３のシャフト４の先端部６３がブッシング５６に挿入されるとスライダー５７の傾斜部６５を押し広げる。このため溝部６２に組み込まれた一対のスライダー５７は左右に離隔するように移動する。このため腕部５９を閉じる向きに圧押するロックスプリング５５によってブッシング５６の内部に位置していたロック部６４をブッシング５６から開放し、ロックを解除状態にさせる。ロックが解除状態されるとシャッター２０は回転可能になりプラグコネクタ２がリセプタクルコネクタ３に嵌合可能となる。
【００３６】
上記実施の形態においてはシャッター２０は２枚構成で示したが、図１５および図１６に示すように左右のシャッターをそれぞれ二分割して片方に収納される４枚構成構造にする事も可能である。４枚構成シャッターの機構としては、内側のシャッターが外側のシャッターに収納される構造になっており、内側、外側のシャッターは弾性体（図示せず）により互いに離れる方向に付勢されている。開閉時は内側のシャッターに設けた突起軸がハウジング側面に設けたシャッター開閉軌跡を制御するカム形状部によって案内され、外側シャッターは回転し、さらに内側シャッターは外側シャッター内に収納されることが可能となる。本構造では相手方のプラグコネクタの収納時にシャッターの飛び出しを最小限にすることが可能である。図１５はシャッターが閉じた状態を示し、図１６は開いた状態を示す。
【００３７】
次に動作概要を説明する。図３〜図５にシャッター２０が閉じた状態を示す。図３および図４は斜視図であり、図５は断面図である。リセプタクルコネクタ３のハウジング１０に設けた２枚のシャッター２０は、シャッター２０の側面４５の軸２３に係止された引っ張りスプリング４０により互いに中心方向に引っ張り合っておりシャッター２０は閉まった状態にある。この状態においては操作者の手やそのほかの物がシャッター２０を上部方向より押してもカムプレート３０のカム形状３１によって規制されシャッター２０は開かない。
【００３８】
図９に示すように、リセプタクルコネクタ３にプラグコネクタ２を挿入する場合には、プラグコネクタ２の左右に設けたキー突起５２がシャッター２０のキー窓２４に挿入される。プラグコネクタ３のキー突起５２は傾斜形状になっている為、引っ張りスプリング４０の引っ張り力に抗して双方のシャッター２０は水平方向に移動する。さらに相手方のプラグコネクタ２が挿入されると、相手方のプラグコネクタ２のハウジング５３によって双方のシャッター２０はカムプレート３０のカム形状３１に沿って回転する。
【００３９】
なお、図３に示す実施例においてはシャッター２０のキー窓２４とプラグコネクタ２のキー突起５２はコネクタ１の中心に対して左右の位置が相違している。このため、逆方向の挿入ではシャッター２は水平方向に開かないため、シャッター２０は開かず相手方のプラグコネクタ２は挿入はされない。
【００４０】
図６〜図８にシャッター２０が完全に開いた状態を示す。相手方のプラグコネクタ２がリセプタクルコネクタ３内に完全に挿入された状態では、双方のシャッター２０も完全に開き、プラグコネクタ２とリセプタクルコネクタ３とは嵌合状態となる。そしてシャッター２０はプラグコネクタ２のハウジング５３によって開いた状態で保持されている。尚、シャッター２０の長穴軸受け部２１とカムプレート３０のカム形状３１によって、シャッター２０の軸方向は上方に上がった状態で開く。
【００４１】
プラグコネクタ２の離脱時には双方のシャッター２０はプラグコネクタ２の引き抜きにより閉じる方向に回転し最終的には水平状態になる。プラグコネクタ２のキー突起５２が離脱すると、引っ張りスプリング４０によりそれぞれのシャッター２０は中心方向に水平移動して閉まりきる。
【００４２】
プラグコネクタ２の嵌合時には、図９に示すように２枚のシャッター２０が組み合わされたリセプタクルコネクタのハウジング１０の中心部の位置に設けた穴５８を通ってプッシング部５６にプラグコネクタ２のシャフト４が最初に挿入される。シャフト４の先端が図１０に示すブッシング５６に設けた前記ロックスプリング解除用の左右のスライダー５７を移動させる。この状態でシャッター２０は左右にスライド可能状態となる。
【００４３】
次に相手方のプラグコネクタ２の左右に設けたキー突起５２がシャッター２０のキー窓２４に挿入される。プラグコネクタ３のキー突起５２は傾斜形状になっているため、引っ張りスプリング４０の引っ張り力に抗してシャッター２０を左右に押し広げる。双方のシャッター２０は軸受け部２１と軌跡カム３１の上部水平部分４６に規制されて先ず水平方向に移動する。さらにプラグコネクタ２が下方に挿入されると、プラグコネクタ２のハウジング５３によって押し下げられ、双方のシャッター２０は突起２２がカムプレート３０のカム形状３１に沿って回転する。
【００４４】
以上、本発明の実施の形態について図示しまた説明したが、ここに記載された本発明の実施の形態は単なる一例であり、上記実施形態に限定されるものではなく、実施段階ではその要旨を逸脱しない範囲で種々に変形することが可能である。更に、上記実施形態には種々の段階の発明が含まれており、開示される複数の構成要件における適宜な組合わせにより種々の発明が抽出され得る。
【図面の簡単な説明】
【００４５】
【図１】本発明に係るリセプタクルコネクタを含む多芯コネクタの斜視図である。
【図２】本発明に係るシャッター付きリセプタクルコネクタの分解図である。
【図３】本発明に係るシャッター付きリセプタクルコネクタコネクタのシャッター閉状態を示す斜視図である。
【図４】本発明に係るシャッター付きリセプタクルコネクタコネクタのシャッター閉状態を示す斜視図である。
【図５】本発明に係るシャッター付きリセプタクルコネクタコネクタのシャッター閉状態の断面図である。
【図６】本発明に係るシャッター付きリセプタクルコネクタコネクタのシャッター開状態を示す斜視図である。
【図７】本発明に係るシャッター付きリセプタクルコネクタコネクタのシャッター開状態の断面を示す図である。
【図８】本発明に係るシャッター付きリセプタクルコネクタコネクタのシャッター開状態を示す斜視図である。
【図９】本発明に係るシャッター付きリセプタクルコネクタと相手方のプラグコネクタとの嵌合前の状態を示す斜視図である。
【図１０】ロック機構を有するシャッター付きリセプタクルコネクタのシャッター開状態を示す斜視図である。
【図１１】ロック機構を有するシャッター付きリセプタクルコネクタのシャッター開状態を示す斜視図である。
【図１２】ロック機構におけるブッシングとロックスプリングの構成について示す斜視図である。
【図１３】ロック機構のブッシング、スライダーとロックスプリングの断面図（上方より）である。
【図１４】ロック機構のブッシング、スライダーとロックスプリングの断面図（側面より）である。
【図１５】シャッター付きリセプタクルコネクタコネクタの４枚シャッター構成のシャッター閉状態を示す斜視図である。
【図１６】シャッター付きリセプタクルコネクタコネクタの４枚シャッター構成のシャッター開状態を示す斜視図である。
【図１７】従来のＺＩＦコネクタを示す図である。
【符号の説明】
【００４６】
１…多芯コネクタ、  ２…プラグコネクタ、  ３…リセプタクルコネクタ、  ４…シャフト、  ５…孔、  ６…コンタクト、  ７…コンタクト、  １０…リセプタクルコネクタのハウジング、  １１…回転用突起軸、  １２…穴、  ２０…シャッター、  ２１…軸受け部、  ２２…突起、２３…軸、２４…キー窓、  ３０…カムプレート、  ３１…シャッター軌跡カム、  ３４…凸部、  ３５…開口部、  ３６…側面、４０…引っ張りスプリング、  ４１…側壁、  ４２…側壁、  底部４３、  ４４…  コンタクトモジュール支持部、  ４５…側面、５０…プラグコネクタ、  ５２…キー突起、  ５３…ハウジング、  ５５…ロックスプリング、  ５６…ブッシング、  ５７…スライダー、  ５８…穴、  ５９…腕部  ６１…穴、  ６２…溝、  ６３…先端部、  ６４…ロック部、  ６５…傾斜部、  ８０…多芯コネクタ、  ８１…プラグコネクタ、  ８２…リセプタクルコネクタ、  ８３…シャフト、８４…カムシャフト、  ８５…カム、  ８６…アクチェータ、  ８７…コンタクトピン、８８…コンタクト、  ８９…コンタクト、  ９０…下部コンタクト端子…、  ９１…開口部、  ９２…上部端子、
【図１】
0004599276.tif 000002
【図２】
0004599276.tif 000003
【図３】
0004599276.tif 000004
【図４】
0004599276.tif 000005
【図５】
0004599276.tif 000006
【図６】
0004599276.tif 000007
【図７】
0004599276.tif 000008
【図８】
0004599276.tif 000009
【図９】
0004599276.tif 000010
【図１０】
0004599276.tif 000011
【図１１】
0004599276.tif 000012
【図１２】
0004599276.tif 000013
【図１３】
0004599276.tif 000014
【図１４】
0004599276.tif 000015
【図１５】
0004599276.tif 000016
【図１６】
0004599276.tif 000017
【図１７】
0004599276.tif 000018